(57)【要約】 【課題】２室に区画する輸液バッグの易剥離性仕切部が輸送時等の衝撃により開通し、両室が開通することを防止し得る耐衝撃性の優れた輸液バッグの梱包方法を提供することである。【解決手段】室１４、１６を区画する易剥離性仕切部１２で折り畳んだ状態の輸液バッグ１０を気体と共に外装袋２０に封入個装し、しかも外装袋２０内に輸液バッグ１０と気体とを封入させてなる全ての包装体２２の体積の和が包装箱２４の容積の５０％以上となるように外装袋２０内に気体を封入し、包装体２２を互い違いに積み重ねて包装箱２４内に収容し、かつ最上部の包装体２２が包装箱２４の上蓋２６に接するようにした輸液バッグ１０の梱包方法を構成した。【選択図】      図３ 
2004203488.tif 000002
【特許請求の範囲】
【請求項１】
易剥離性仕切部により区画された２室を少なくとも有する複数の輸液バッグを包装箱に収容する梱包方法であって、易剥離性仕切部で折り畳んだ状態の輸液バッグを気体と共に外装袋に封入個装し、しかも外装袋内に輸液バッグと気体とを封入させてなる全ての包装体の体積の和が包装箱の容積の５０％以上となるように外装袋内に気体を封入し、包装体を互い違いに積み重ねて包装箱内に収容し、かつ最上部の包装体が包装箱の上蓋に接するようにした輸液バッグの梱包方法。
【請求項２】
全ての包装体の体積の和が包装箱の容積の５０〜９０％となるように外装袋内に気体を封入した請求項１記載の輸液バッグの梱包方法。
【請求項３】
全ての包装体に封入された気体の体積の和が、包装箱内の全輸液バッグが占める部分以外の容積の２５％以上となるようにした請求項1または請求項２記載の輸液バッグの梱包方法。
【請求項４】
全ての包装体に封入された気体の体積の和が、包装箱内の全輸液バッグが占める部分以外の容積の２５〜６０％となるようにした請求項３に記載の輸液バッグの梱包方法。
【請求項５】
包装体を２〜７個重ねるようにした請求項1〜請求項４のいずれか１項に記載の輸液バッグの梱包方法。
【発明の詳細な説明】
【技術分野】
【０００１】
本発明は輸液バッグを包装箱に収容する梱包方法に関するものであり、特に外装袋内に輸液バッグと共に所定体積の気体を封入し、その複数を所定状態に包装箱内に収容するようにした輸液バッグの梱包方法に関するものである。
【背景技術】
【０００２】
従来より、２室輸液バッグは、易剥離性仕切部（弱シール部）を有するので、仕切部が輸送時に開通しないようにするために、仕切部で折り畳んだ状態で外装袋に入れて個装し、これを横たえた状態で包装箱に互い違いに積み重ねて収容し、梱包されるのが通例である。例えば、実開平３−８５０３８号公報（特許文献１）の第３図には、輸液バッグが易剥離性仕切部（隔室の弱い接着部８）付近で折り畳まれた状態で外装袋（オーバーラップフィルム１４）に個装された例が図示され、実用新案登録第２６０００１１号公報（特許文献２）の図３には、輸液バッグ（医療用袋１０）を包装箱１６内に複数段積み重ねて収容し、梱包した例が図示され、図２にはバッグ１０を互い違いに複数段積み重ねた例が図示されている。
【０００３】
ところが、このような梱包方法では、折り畳んだ折り目がときには仕切部から外れていることが起こり得るので、こうなると輸送中の衝撃等により仕切部が開通し、輸液が混合してしまうという問題点があった。
本願発明者は、鋭意研究を続けているうちに、外装袋中に通常以上の気体を封入し、包装箱に堅密に梱包することにより輸液バッグの耐衝撃性を向上させ得ることを見いだし、本発明を想到するに至ったものである。
【特許文献１】実開平３−８５０３８号公報
【特許文献２】実用新案登録第２６０００１１号公報
【発明の開示】
【発明が解決しようとする課題】
【０００４】
解決しようとする問題点は、包装箱内に収容されている複数個の複室輸液バッグの室間を仕切る易剥離性仕切部が輸送中の衝撃等により開通し、輸液が混合してしまうという問題点である。
本発明はこのように問題点を解決するためになされたものであり、本発明の目的は２室以上を有する輸液バッグの耐衝撃性を高め得る梱包方法を提供することである。
【課題を解決するための手段】
【０００５】
このような目的を達成するためになされた本発明は、次のように構成される。
Ａ  易剥離性仕切部により区画された２室を少なくとも有する複数の輸液バッグを包装箱に収容する梱包方法であって、易剥離性仕切部で折り畳んだ状態の輸液バッグを気体と共に外装袋に封入個装し、しかも外装袋内に輸液バッグと気体とを封入させてなる全ての包装体の体積の和が包装箱の容積の５０％以上となるように外装袋内に気体を封入し、包装体を互い違いに積み重ねて包装箱内に収容し、かつ最上部の包装体が包装箱の上蓋に接するようにした輸液バッグの梱包方法。
Ｂ  全ての包装体の体積の和が包装箱の容積の５０〜９０％となるように外装袋内に気体を封入したＡ項記載の輸液バッグの梱包方法。
Ｃ  全ての包装体に封入された気体の体積の和が、包装箱内の全輸液バッグが占める部分以外の容積の２５％以上となるようにしたＡ項またはＢ項記載の輸液バッグの梱包方法。
Ｄ  全ての包装体に封入された気体の体積の和が、包装箱内の全輸液バッグが占める部分以外の容積の２５〜６０％となるようにしたＣ項記載の輸液バッグの梱包方法。
Ｅ  包装体を２〜７個重ねるようにしたＡ項〜Ｄ項のいずれか１項に記載の輸液バッグの梱包方法。
【発明の効果】
【０００６】
本発明は上述のように構成されているので、次に記載する効果を奏する。
外装袋に気体と共に輸液バッグを封入してなる全包装体の体積の和が、包装箱の容積の５０％以上となるように外装袋内に気体が封入され、かつ最上部の包装体が包装箱の上蓋に接するようにされているので、輸送時等の衝撃が緩和されて輸液バッグの易剥離性仕切部の耐衝撃性を向上させ、輸液バッグの２室間の開通を防止し得る利点がある。
また、全包装体の体積の和が、包装箱の容積の５０〜９０％となるようにすれば、包装体の梱包が堅密すぎることがなく梱包作業が好適に行い得る。
さらに、上記条件に加えて、全ての包装体に封入された気体の体積の和が、包装箱内の全輸液バッグが占める部分以外の容積の２５％以上となるようにすればさらに耐衝撃性は向上する。
また、全包装体に封入された気体の体積の和が、包装箱内の全輸液バッグが占める部分以外の容積の２５％〜６０となるようにすれば、輸液バッグに対する気体の部分（スペース）が大きくなりすぎること抑制し、包装箱が大形になることを回避できる利点がある。
【発明を実施するための最良の形態】
【０００７】
２室以上を有する輸液バッグの耐衝撃性を高め得る梱包方法を提供するという目的を、輸液バッグや包装箱の強度等の構成を変えないで実現した。    
【実施例】
【０００８】
以下本発明の実施例を図面に基づいて詳細に説明する。
図１において１０は  輸液バッグであり、易剥離性仕切部１２により大室１４と小室１６に区画され、それぞれに薬剤や溶解液等が封入されている。輸液バッグ１０は２枚の重ね合わせたプラスチックフィルムの周縁が溶着されると共に中間部が所定幅で周縁の溶着強度より弱い強度で溶着されて易剥離性仕切部１２が構成される。輸液バッグ１０は梱包に当たって先ず図２（イ）に示すように易剥離性仕切部１２で折り畳まれ、さらに図２（ロ）に示すように外装袋２０に収容されるが、外装袋２０には所定量の気体（本実施例では空気）も一緒に封入され、密封される。２２は外装袋２０に所定量の気体と輸液バッグ１０とを封入させてなる包装体であり、包装箱内に所定段数重ねて収容され、梱包される。なお、封入する気体の所定量については後述する。
【０００９】
梱包は図３に示すように、先ず包装箱２４の底部に包装体２２を置き、その上に互い違いに包装体２２を所要段数積み重ねて収容し、上蓋２６で蓋をして行う。
重ね段数としては２〜７段程度が好ましい。図３は包装体２２を７段積み重ねた状態を示す。各包装体２２に封入される気体の所定量は、最上段の包装体２２が上蓋２６に接するように蓋をした状態において、総ての包装体２２の体積の和が、包装箱の容積の５０％以上となるように決定される。図３の場合を例に説明する（７段に積み重ねたものが１列収容されているものとして説明する）。1段目から７段目（最上段）の各包装体２２の体積をそれぞれＶ1、Ｖ2、Ｖ3、Ｖ4、Ｖ5、Ｖ6、Ｖ7とし、包装箱２４の容積をＶとすれば、次ぎのようになる。
Ｖ1＋Ｖ2＋Ｖ3＋Ｖ4＋Ｖ5＋Ｖ6＋Ｖ7≧Ｖ×５０％（但し、最上段の包装体２２は上蓋２４に接している状態に収容。）
なお、各包装体２２の体積が同じでも下方のもの程上方の包装体２２の重みで押圧され体積が小さくなる筈であるが、積み重ね段数がそれ程多くない場合は押圧の影響もそれ程ではなく、各包装体２２の体積は略同じとしても、差し支えないものと考えられる。
【００１０】
本実施例によれば、包装体２２内に気体を封入し、かつ最上部の包装体２２が上蓋に接するように堅密に梱包することによって、輸送時やその他の思わぬ衝撃が加わった場合においても衝撃が緩和され、輸液バッグの易剥離性仕切部１２の剥離による大室１４と小室１６の開通が防止され、耐衝撃性が向上する利点がある。特に折り曲げ部が易剥離性仕切部から外れている場合には、少しの衝撃でも易剥離性仕切部が剥離し両室が開通し易くなるが、このような場合でも剥離を防止し、開通を阻止する利点が大きい。本実施例では、全包装体２２の体積の和は包装箱２４の容積の５０％以上としたが、好ましくは５０〜９０％である。９０％以上とすることも可能であるが、堅密度が高くなり、包装箱中に梱包し難くなることがある。
【００１１】
上記実施例では全ての包装体２２の体積の和を包装箱２４の容積の５０％以上あるいは５０〜９０％とし、かつ最上段の包装体２２が上蓋に接するようにしたが、この条件に加えてさらに、全ての包装体２２中に封入された気体の体積の和を、包装箱２４の容積から全ての輸液バッグ１０の体積の和を差し引いた残りの体積の２５％以上とすれば、耐衝撃性はさらに向上する。好ましくは、上記残りの体積の２５〜６０％とすることである。６０％以上とすることも可能であるが、輸液バッグに対して気体の部分（スペース）が多くなり、包装箱が大形になる。
【００１２】
［試験例１］  図１に示す輸液バッグ１０を幅２０ｃｍ、高さ３８ｃｍとし、易剥離性仕切部１２のシール幅１．４ｃｍでシール強度を４Ｎ／１５ｍｍとし、材質をポリエチレン（但し、内層はポリエチレンとポリプロピレンとの混合）として構成し、その大室１４、小室１６にそれぞれ蒸留水を７００ｍＬ，３００ｍＬ充填し、易剥離性仕切部１２より２０ｍｍ離れた個所で折り畳んだ。なお、輸液バッグ１袋当たりの体積は１２５５ｍＬであった。このバッグをポリビニールアルコール多層外装袋（２８．５ｃｍ×３３ｃｍ）に窒素ガスと共に封入し、幅３９ｃｍ、奥行き３３ｃｍ、高さ２４ｃｍの段ボール箱に、２列５段に互い違いに重ねて収納し、上蓋を閉じた。実施例１、２、比較例１のいずれの段ボール箱においても、前記外装袋に窒素ガスと共に輸液バッグを封入してなる包装体はその最上部のものと箱の上蓋とは密着していたが、比較例２のものについては、高さが２６ｃｍの箱を用い、最上部の包装体と箱の上蓋との間に隙間を設けた。
【００１３】
包装体を収容し梱包した上記段ボール箱を１２０ｃｍの高さから正面、側面および底面の３方向より落下した後、中の輸液バッグの易剥離性仕切部１２の剥がれ具合（剥がれ幅）を試験した。試験は各実施例、比較例とも包装体１０袋入り（＝２列×５段）の段ボール箱５個づつを使用し、それぞれ計５０袋の包装体について行った。結果を表１に示す。  
上記試験結果からわかるように、実施例１、２とも易剥離性仕切部１２の剥離はすべて仕切部１２の幅の半分以下に納まっており、半分より大のものや開通したものは皆無であるが、比較例１、２では剥離幅が半分以上のものが多数あり、開通したものも各１例見受けられる。このように本実施例の梱包方法によれば、輸液バッグの耐衝撃性が高められたことが判る。
【表１】
2004203488.tif 000003
【００１４】
［試験例２］  図１に示す輸液バッグ１０を幅２０ｃｍ、高さ３８ｃｍとし、易剥離性仕切部１２のシール幅１．４ｃｍでシール強度を４Ｎ／１５ｍｍとし、材質をポリエチレン（但し、内層はポリエチレンとポリプロピレンとの混合）として構成し、その大室１４、小室１６にそれぞれ蒸留水を７００ｍＬ，３００ｍＬ充填し、易剥離性仕切部１２より２０ｍｍ離れた個所で折り畳んだ。なお、輸液バッグ１袋当たりの体積は１１７０ｍＬであった。このバッグをポリビニールアルコール多層外装袋（２８．５ｃｍ×３３ｃｍ）に窒素ガスと共に封入し、幅４２ｃｍ、奥行き３３ｃｍ、高さ２５ｃｍの段ボール箱に、２列５段に互い違いに重ねて収納し、上蓋を閉じた。実施例３、４、比較例３のいずれの段ボール箱においても、前記外装袋に窒素ガスと共に輸液バッグを封入してなる包装体はその最上部のものと箱の上蓋とは密着していたが、比較例４のものについては、高さが２７ｃｍの箱を用い、最上部の包装体と箱の上蓋との間に隙間を設けた。
【００１５】
試験例１の場合と同様に、包装体を収容し梱包した上記段ボール箱を１２０ｃｍの高さから正面、側面および底面の３方向より落下した後、中の輸液バッグの易剥離性仕切部１２の剥がれ具合（剥がれ幅）を試験した。試験は各実施例、比較例とも包装体１０袋入り（＝２列×５段）の段ボール箱５個づつを使用し、それぞれ計５０袋の包装体について行った。結果を表２に示す。    
上記試験結果からわかるように、実施例３、４とも易剥離性仕切部１２の剥離はすべて仕切部１２の幅の半分以下に納まっており、半分より大のものや開通したものは皆無であるが、比較例においては剥離幅が半分以上のものが、比較例３では多数、比較例４では３例見受けられ、貫通したものは皆無である。このように本実施例の梱包方法によれば、輸液バッグの耐衝撃性が高められたことが判る。
【表２】
2004203488.tif 000004
【００１６】
前記各実施例では、外装袋２０に充填する気体として窒素を使用したが、二酸化炭素、アルゴン等の不活性ガスや空気を使用することも可能である。    
以上本発明の実施例について説明したが、本発明はこのような実施例に何ら限定されるものではなく、本発明の要旨を逸脱しない範囲において種々なる態様で実施し得ることはもちろんである。
【産業上の利用可能性】
【００１７】
輸液バッグ以外の複室容器あるいは１つの室を有するバッグを、輸送時等の耐衝撃性を高め得るように梱包する用途に適用できる。
【図面の簡単な説明】
【００１８】
【図１】本発明の一実施例に使用する輸液バッグを示す正面図である。
【図２】（イ）、（ロ）は同輸液バッグの個装状態を示す説明図である。
【図３】同実施例の実施状態を示す説明図である。
【符号の説明】
【００１９】
１０  輸液バッグ  
１２  易剥離性仕切部
１４  大室
１６  小室
２０  外装袋
２２  包装体
２４  包装箱
２６  上蓋
【図１】
2004203488.tif 000005
【図２】
2004203488.tif 000006
【図３】
2004203488.tif 000007